(57)【要約】【課題】  搬送部を複雑にすることなく全体をコンパクトに構成することが可能な紙幣処理機の提供。【解決手段】  真と識別された紙幣を金種別に分けて一時貯留させる複数の一時貯留部３５ａ〜３５ｆと、複数の一時貯留部３５ａ〜３５ｆに一時貯留された紙幣を入金確定操作後に金種別に収納する複数の収納部４５ａ〜４５ｆとを備え、一時貯留部３５ａ〜３５ｆが上下に複数段設けられており、複数段の一時貯留部３５ａ〜３５ｆが平面視で重なる状態から平面視で重ならない状態まで、最下段の一時貯留部３５ｅ，３５ｆを除くその他の段の一時貯留部３５ａ〜３５ｄを水平移動させる一時貯留部水平移動手段を備え、平面視で重ならない状態とされた各一時貯留部３５ａ〜３５ｆの下方に収納部４５ａ〜４５ｆが一対一で設けられている。【選択図】        図２
2006195539.tif 000002
【特許請求の範囲】
【請求項１】
入金口に投入された紙幣の金種および真偽の識別と計数とを行う識別部と、
該識別部により真と識別された紙幣を金種別に分けて一時貯留させる複数の一時貯留部と、
該複数の一時貯留部に一時貯留された紙幣を入金確定操作後に金種別に収納する複数の収納部とを備えた紙幣処理機であって、
前記一時貯留部が上下に複数段設けられており、
該複数段の一時貯留部が平面視で重なる状態から平面視で重ならない状態まで、最下段の一時貯留部を除くその他の段の一時貯留部を水平移動させる一時貯留部水平移動手段を備え、
平面視で重ならない状態とされた各一時貯留部の下方に前記収納部が一対一で設けられていることを特徴とする紙幣処理機。
【請求項２】
前記複数の収納部の高さが同じとされており、水平移動する一時貯留部をさらに鉛直方向に移動させる鉛直移動手段を備えていることを特徴とする請求項１記載の紙幣処理機。
【請求項３】
前記複数段の一時貯留部が平面視で重ならない状態とされたとき、各一時貯留部の直下に各収納部の上端部が配置されるように前記複数の収納部の高さが異なっていることを特徴とする請求項１記載の紙幣処理機。
【請求項４】
前記最下段の一時貯留部の直下の収納部の高さを基準とし、当該収納部から水平方向に離間する収納部の高さが高く設定されていることを特徴とする請求項３記載の紙幣処理機。
【請求項５】
前記複数の収納部を水平移動させる収納部水平移動手段を有しており、前記複数の収納部の下部それぞれに内部の紙幣を一枚ずつ繰出可能な出金部が設けられ、前記最下段の一時貯留部の下方に位置する収納部の出金部に対し位置があって接続される出金搬送部が設けられていることを特徴とする請求項１乃至４のいずれか一項記載の紙幣処理機。
【請求項６】
前記収納部水平移動手段は前記一時貯留部と同方向に前記収納部を水平移動させることを特徴とする請求項５記載の紙幣処理機。
【請求項７】
前記複数段の一時貯留部がすべて、平面視で重なるように上下に一列状に配置可能であることを特徴とする請求項１乃至６のいずれか一項記載の紙幣処理機。
【請求項８】
流通量の多い金種の紙幣を前記最下段の一時貯留部に一時貯留させることを特徴とする請求項１乃至７のいずれか一項記載の紙幣処理機。
【請求項９】
流通量の多い金種の紙幣を最上段の一時貯留部に一時貯留させることを特徴とする請求項１乃至８のいずれか一項記載の紙幣処理機。
【発明の詳細な説明】
【技術分野】
【０００１】
本発明は、銀行等の金融機関において用いられる紙幣処理機に関する。
【背景技術】
【０００２】
銀行等の金融機関において出納機の一部として用いられ、バラ紙幣の入金および出金を行う紙幣処理機がある（例えば特許文献１参照）。この紙幣処理機は、投入された紙幣を一枚ずつ分離して機体内に取り込むとともに、この取り込んだ紙幣の真偽および金種等を識別し、この識別結果に応じて目的の位置まで搬送する入出金ユニットと、該入出金ユニットから送り込まれた紙幣を金種別に一時貯留させる一時貯留ユニットと、該一時貯留ユニットに一時貯留される紙幣を金種別に収納するとともにこれを出金用紙幣として繰り出し可能な金種別入出金収納部を有する収納部ユニットとから構成されている。
【特許文献１】特許第３５１５４００号公報
【発明の開示】
【発明が解決しようとする課題】
【０００３】
ところで、このような紙幣処理機は、銀行等の出納機として使用されるものであるため、収納部の数が多く必要となっている。一方で、紙幣処理機は、搬送部を極力簡素化するために入金口から搬送されてきた紙幣を、通常その搬送方向に沿って水平方向に一列に並べた一時貯留部に一時貯留させるようになっており、各一時貯留部から一対一で下方に設けられた収納部に紙幣を収納させるようになっている。このため、収納部の数を増やすと一方向に大型化してしまうという問題があった。例えば、この一方向に対し直交する方向に収納部を分けて配置することも考えられるが、紙幣の搬送部が複雑になってしまうという問題の発生が予想された。
【０００４】
したがって、本発明は、搬送部を複雑にすることなく全体をコンパクトに構成することが可能な紙幣処理機の提供を目的とする。
【課題を解決するための手段】
【０００５】
上記目的を達成するために、請求項１に係る発明は、入金口に投入された紙幣の金種および真偽の識別と計数とを行う識別部と、該識別部により真と識別された紙幣を金種別に分けて一時貯留させる複数の一時貯留部と、該複数の一時貯留部に一時貯留された紙幣を入金確定操作後に金種別に収納する複数の収納部とを備えた紙幣処理機であって、前記一時貯留部が上下に複数段設けられており、該複数段の一時貯留部が平面視で重なる状態から平面視で重ならない状態まで、最下段の一時貯留部を除くその他の段の一時貯留部を水平移動させる一時貯留部水平移動手段を備え、平面視で重ならない状態とされた各一時貯留部の下方に前記収納部が一対一で設けられていることを特徴としている。
【０００６】
請求項２に係る発明は、請求項１に係る発明において、前記複数の収納部の高さが同じとされており、水平移動する一時貯留部をさらに鉛直方向に移動させる鉛直移動手段を備えていることを特徴としている。
【０００７】
請求項３に係る発明は、請求項１に係る発明において、前記複数段の一時貯留部が平面視で重ならない状態とされたとき、各一時貯留部の直下に各収納部の上端部が配置されるように前記複数の収納部の高さが異なっていることを特徴としている。
【０００８】
請求項４に係る発明は、請求項３に係る発明において、前記最下段の一時貯留部の直下の収納部の高さを基準とし、当該収納部から水平方向に離間する収納部の高さが高く設定されていることを特徴としている。
【０００９】
請求項５に係る発明は、請求項１乃至４のいずれか一項に係る発明において、前記複数の収納部を水平移動させる収納部水平移動手段を有しており、前記複数の収納部の下部それぞれに内部の紙幣を一枚ずつ繰出可能な出金部が設けられ、前記最下段の一時貯留部の下方に位置する収納部の出金部に対し位置があって接続される出金搬送部が設けられていることを特徴としている。
【００１０】
請求項６に係る発明は、請求項５に係る発明において、前記収納部水平移動手段は前記一時貯留部と同方向に前記収納部を水平移動させることを特徴としている。
【００１１】
請求項７に係る発明は、請求項１乃至６のいずれか一項に係る発明において、前記複数段の一時貯留部がすべて、平面視で重なるように上下に一列状に配置可能であることを特徴としている。
【００１２】
請求項８に係る発明は、請求項１乃至７のいずれか一項に係る発明において、流通量の多い金種の紙幣を前記最下段の一時貯留部に一時貯留させることを特徴としている。
【００１３】
請求項９に係る発明は、請求項１乃至８のいずれか一項に係る発明において、流通量の多い金種の紙幣を最上段の一時貯留部に一時貯留させることを特徴としている。
【発明の効果】
【００１４】
請求項１に係る発明によれば、一時貯留部が上下に複数段設けられており、一時貯留部水平移動手段が、これら複数段の一時貯留部が平面視で重なる状態から平面視で重ならない状態まで、最下段の一時貯留部を除くその他の段の一時貯留部を水平移動させることになるため、複数段の一時貯留部が平面視で重なる状態で紙幣を受け入れるようにすれば搬送部を複雑にすることなく紙幣を複数の一時貯留部に受け入れることが可能となる。そして、このようにして紙幣を受け入れた一時貯留部を水平移動させて平面視で重ならない状態として、各一時貯留部の下方に一対一で設けられた収納部に収納させるようにすれば、収納部の水平方向における配置の自由度が高くなり、全体としてコンパクトになるように収納部を配置できる。したがって、搬送部を複雑にすることなく全体をコンパクトに構成することが可能となる。
【００１５】
請求項２に係る発明によれば、水平移動する一時貯留部を鉛直移動手段で鉛直方向に移動させるため、複数の収納部の高さを同じとしても、複数の一時貯留部から対応する収納部への紙幣の円滑な受け渡しが可能となる。
【００１６】
請求項３に係る発明によれば、複数段の一時貯留部が平面視で重ならない状態とされたとき、各一時貯留部の直下に各収納部の上端部が配置されるように収納部の高さが異なっているため、一時貯留部を水平移動させるだけで、一時貯留部から収納部への紙幣の円滑な受け渡しが可能になる。
【００１７】
請求項４に係る発明によれば、最下段の一時貯留部の直下の収納部の高さを基準とし、当該収納部から水平方向に離間する収納部の高さが高く設定されているため、最下段の一時貯留部の直下の収納部に対し水平方向に離間する収納部の収納量を大きくすることが可能になる。
【００１８】
請求項５に係る発明によれば、複数の収納部の下部それぞれに収納部内の紙幣を一枚ずつ繰出可能な出金部が設けられており、複数の収納部が収納部水平移動手段によって水平移動可能に設けられているため、最下段の一時貯留部の下方に位置する収納部の出金部に対し位置があって接続される出金搬送部に対して、収納部を水平移動させれば、複数の収納部を接続可能となる。したがって、出金搬送路を複雑にすることなく、複数の収納部からの出金が可能となる。
【００１９】
請求項６に係る発明によれば、収納部水平移動手段が収納部を一時貯留部と同方向に水平移動させるため、一時貯留部の移動範囲と収納部の移動範囲とを重ねることができ、さらなるコンパクト化が図れる。
【００２０】
請求項７に係る発明によれば、複数段の一時貯留部がすべて、平面視で重なるように上下に一列状に配置可能であるため、平面視で重なる状態で紙幣を受け入れることができ、搬送部を複雑にすることなく紙幣を複数の一時貯留部に受け入れることができる。したがって、確実に搬送部を簡素化することができる。
【００２１】
請求項８に係る発明によれば、流通量の多い金種の紙幣（例えば、万円券あるいは千円券）を、水平移動しない最下段の一時貯留部に一時貯留させることで、処理全体における一時貯留部の水平移動のための時間を短くでき、処理効率を向上させることができる。
【００２２】
請求項９に係る発明によれば、流通量の多い金種の紙幣（例えば、万円券あるいは千円券）を最上段の一時貯留部に一時貯留させることで、この一時貯留部に対応する、高さを高くでき収納量を多くできる収納部に流通量の多い金種の紙幣を収納させることができ、収納部の満杯による停止等の処理効率低下を防止できる。
【発明を実施するための最良の形態】
【００２３】
本発明の第１実施形態の紙幣処理機を図１〜図７を参照して以下に説明する。
第１実施形態の紙幣処理機１１は、バラ紙幣の入金、収納、回収および出金等の紙幣に関する各処理を行うことが可能とされ、銀行等における出納機の一部として他の図示略の硬貨処理機等と組み合わせて用いられるものである。
【００２４】
図１に示すように、第１実施形態の紙幣処理機１１は、その外側部分を構成する機体１２が略直方体形状をなしており、機体１２の左側面１２Ｌの上部にはバラ紙幣が投入される入金口１３が設けられ、機体上面１２Ｕの左側面１２Ｌおよび右側面１２Ｒを結ぶ幅方向における中間部には機体１２内からリジェクト紙幣が繰出されるリジェクト口１４が設けられ、機体上面１２Ｕの右側面１２Ｒ側には機体１２内から出金紙幣が繰り出される出金口１５が設けられている。これら入金口１３、リジェクト口１４および出金口１５は、いずれも機体前後方向の位置を合わせており、機体前後方向の略中央位置に設けられている。
【００２５】
入金口１３には、入金口１３に投入されたバラ紙幣を一枚ずつ分離して機体１２内に繰り出す紙幣繰出部１７が設けられており、この紙幣繰出部１７には紙幣繰出部１７から繰り出された紙幣を搬送する入金搬送部１８が接続されている。なお、バラ紙幣は、長手方向を機体１２の前後方向に沿わせた姿勢で積層状態で入金口１３に投入されるとともに、常にこの姿勢を維持した状態で機体１２内で移動し、この姿勢でリジェクト口１４および出金口１５へ繰り出される。
【００２６】
この入金搬送部１８は、紙幣繰出部１７から略水平に沿って右側面１２Ｒ側に延出する右方延出部２０とこの右方延出部２０の末端から下方に延出する下方延出部２１とこの下方延出部２１の末端から左側面１２Ｌ側に延出する左方延出部２２とを有する搬送路２３を具備しており、この搬送路２３の右方延出部２０には、紙幣の金種、真偽、正損および搬送異常の識別と計数とを行う識別部２４が設けられている。
【００２７】
また、入金搬送部１８は、搬送路２３の右方延出部２０における識別部２４よりも右方（下流）側から分岐し上方に延出してリジェクト口１４に接続されるリジェクト搬送路２６を有しており、このリジェクト搬送路２６は、識別部２４で真紙幣かつ正紙幣で正常搬送と判別された入金可能紙幣以外のリジェクト紙幣をリジェクト口１４に搬送する。
【００２８】
さらに、入金搬送部１８は、搬送路２３の下方延出部２１における上部中間位置から分岐して左側面１２Ｌ側に延出する分岐搬送路２８と、この分岐搬送路２８の途中位置から分岐して下方に延出する分岐搬送路２９と、下方延出部２１における下部中間位置から分岐して左側面１２Ｌ側に延出する分岐搬送路３０と、この分岐搬送路３０の途中位置から分岐して下方に延出する分岐搬送路３１と、搬送路２３の左方延出部２２の途中位置から分岐して下方に延出する分岐搬送路３２とを有している。この入金搬送部１８は全体にわたって、入金口１３と機体前後方向の位置を合わせている。
【００２９】
そして、入金搬送部１８のリジェクト搬送路２６を除く各末端位置つまり、分岐搬送路２８〜３２の各末端位置および搬送路２３の末端位置には、識別部２４により真紙幣かつ正紙幣で正常搬送と識別された入金可能紙幣を金種別に分けて一時貯留させる複数具体的には六つの一時貯留部３５ａ〜３５ｆが接続されている。
【００３０】
つまり、搬送路２３の下方延出部２１における上部中間位置から分岐する分岐搬送路２８の末端には一時貯留部３５ａが接続されており、この分岐搬送路２８の途中から分岐する分岐搬送路２９の末端には一時貯留部３５ａの機体右側面１２Ｒ側において一時貯留部３５ｂが接続されている。これら一時貯留部３５ａ，３５ｂは、互いに上下方向の位置を合わせるとともに、図２（ａ），（ｂ）に示すように、機体前面１２Ｆと機体後面１２Ｂとを結ぶ機体前後方向の位置を互いに合わせている。
【００３１】
また、図１に示すように、これら一時貯留部３５ａ，３５ｂの下側において、搬送路２３の下方延出部２１における下部中間位置から分岐する分岐搬送路３０の末端には一時貯留部３５ｃが接続されており、この分岐搬送路３０の途中から分岐する分岐搬送路３１の末端には一時貯留部３５ｃの機体右側面１２Ｒ側において一時貯留部３５ｄが接続されている。これら一時貯留部３５ｃ，３５ｄは、互いに上下方向の位置を合わせるとともに、図２（ａ），（ｂ）に示すように機体前後方向の位置を互いに合わせている。
【００３２】
さらに、図１に示すように、これら一時貯留部３５ｃ，３５ｄの下側において、搬送路２３の末端には一時貯留部３５ｅが接続されており、この搬送路２３の途中から分岐する分岐搬送路３２の末端には一時貯留部３５ｅの機体右側面１２Ｒ側において一時貯留部３５ｆが接続されている。これら一時貯留部３５ｅ，３５ｆは、互いに上下方向の位置を合わせるとともに、図２（ａ），（ｂ）に示すように互いに機体前後方向の位置を合わせている。ここで、最下段のこれら一時貯留部３５ｅ，３５ｆは、機体前後方向の略中央位置である基本位置に位置固定で設けられている。
【００３３】
ここで、一時貯留部３５ａ〜３５ｆのうち、機体左側面１２Ｌ側の一時貯留部３５ａ，３５ｃ，３５ｅは機体左右方向における位置を互いに合わせており、機体右側面１２Ｒ側の一時貯留部３５ｂ，３５ｄ，３５ｆも互いに機体左右方向における位置を合わせている。
【００３４】
以上により、機体左側面１２Ｌ側の一時貯留部３５ａ，３５ｃ，３５ｅは、上下に複数段設けられるように配置されており、機体右側面１２Ｒ側の一時貯留部３５ｂ，３５ｄ，３５ｆも、上下に複数段設けられるように配置されている。なお、一時貯留部３５ａ〜３５ｆは、いずれも紙幣を上側から受け入れ上下方向に集積させた状態で一時貯留させることになり、このように一時貯留させた紙幣を下方に落下させる。
【００３５】
最上段の両一時貯留部３５ａ，３５ｂは、搬送路２３における下方延出部２１のこれら一時貯留部３５ａ，３５ｂと高さが合う部分構成部２１ａと、一時貯留部３５ａ，３５ｂに接続される分岐搬送路２８，２９とともに一体のユニット３７とされている。このユニット３７は図示略のガイドレールによって機体前後方向に水平移動可能に設けられており、このガイドレールを含む図３に示すスライド機構部（一時貯留部水平移動手段）３８で駆動されて水平移動する。具体的に、このユニット３７は、図２に示すように、機体前後方向の略中央位置にあって一時貯留部３５ａを最下段の一時貯留部３５ｅに平面視において重ね合わせ、かつ一時貯留部３５ｂを最下段の一時貯留部３５ｆに平面視において重ね合わせる状態となる基本位置と、図４に示すように、機体前後方向一側の前面１２Ｆ側にあって一時貯留部３５ａ，３５ｂを最下段の一時貯留部３５ｅ，３５ｆに平面視で重ね合わせない状態となる前端位置との間で往復移動する。なお、ユニット３７は、基本位置にあるときに、部分構成部２１ａを搬送路２３の他の部分と紙幣の受け渡しが可能に接続させるようになっている。
【００３６】
最上段の両一時貯留部３５ａ，３５ｂを含むユニット３７は、上記した前端位置にあるとき、さらに図示略のガイドレールによって上下に昇降移動可能に設けられており、このガイドレールを含む図３に示すエレベータ機構部（鉛直移動手段）３９で駆動されてガイドレールに沿って昇降する。つまり、このユニット３７の一時貯留部３５ａ，３５ｂは、水平移動し、さらに鉛直方向に移動可能となっている。ここで、ユニット３７は、図４に示すように、上記した基本位置にあるときと同高さの上限位置と、図５に示すように、一時貯留部３５ａ，３５ｂを最下段の一時貯留部３５ｅ，３５ｆと同高さとする下限位置との間で昇降する。
【００３７】
図１に示すように、中段の両一時貯留部３５ｃ，３５ｄも、搬送路２３における下方延出部２１のこれら一時貯留部３５ｃ，３５ｄと高さが合う部分構成部２１ｂと、一時貯留部３５ｃ，３５ｄに接続される分岐搬送路３０，３１とともに一体のユニット４１とされている。このユニット４１は図示略のガイドレールによって機体前後方向に水平移動可能に設けられており、このガイドレールを含む図３に示すスライド機構部（一時貯留部水平移動手段）４２で駆動されて水平移動する。具体的に、このユニット４１は、図２に示すように、機体前後方向の略中央位置にあって一時貯留部３５ｃを最下段の一時貯留部３５ｅに平面視において重ね合わせ、かつ一時貯留部３５ｄを最下段の一時貯留部３５ｆに平面視において重ね合わせる状態となる基本位置と、図４に示すように、機体前後方向逆側の後面１２Ｂ側にあって一時貯留部３５ｃ，３５ｄを最下段の一時貯留部３５ｅ，３５ｆに平面視で重ね合わせない状態となる後端位置との間で往復移動する。なお、ユニット４１は、基本位置にあるときに、部分構成部２１ｂを搬送路２３の他の部分と紙幣の受け渡しが可能に接続させるようになっている。
【００３８】
中段の両一時貯留部３５ｃ，３５ｄを含むユニット４１も、上記した後端位置にあるとき、図示略のガイドレールによって上下に昇降移動可能に設けられており、このガイドレールを含む図３に示すエレベータ機構部（鉛直移動手段）４３で駆動されてガイドレールに沿って昇降する。つまり、このユニット４１の一時貯留部３５ｃ，３５ｄは、水平移動し、さらに鉛直方向に移動可能となっている。ここで、ユニット４１は、図４に示すように、上記した基本位置にあるときと同高さの上限位置と、図５に示すように、一時貯留部３５ｃ，３５ｄを最下段の一時貯留部３５ｅ，３５ｆと同高さとする下限位置との間で昇降する。
【００３９】
以上により、スライド機構部３８，４２が、複数段の一時貯留部３５ａ，３５ｃ，３５ｅが平面視で重なる状態から平面視で重ならない状態まで、最下段の一時貯留部３５ｅを除くその他の段の一時貯留部３５ａ，３５ｃを水平移動させるとともに、複数段の一時貯留部３５ｂ，３５ｄ，３５ｆが平面視で重なる状態から平面視で重ならない状態まで、最下段の一時貯留部３５ｆを除くその他の段の一時貯留部３５ｂ，３５ｄを水平移動させる。また、エレベータ機構部３９が、水平移動する一時貯留部３５ａ，３５ｂをさらに鉛直方向に移動させることになり、エレベータ機構部４３が、水平移動する一時貯留部３５ｃ，３５ｄをさらに鉛直方向に移動させることになる。さらに、ユニット３７，４１が、基本位置にあるとき、一側で複数段をなす一時貯留部３５ａ，３５ｃ，３５ｅがすべて平面視で重なるように上下に一列状に配置され、他側で複数段をなす一時貯留部３５ｂ，３５ｄ，３５ｆがすべて平面視で重なるように上下に一列状に配置されている。なお、ユニット３７，４１が、基本位置にあるとき、入金搬送部１８は全体にわたって機体前後方向における位置を合わせており、機体前後方向の所定幅（最も長手方向長さが長い紙幣の長さにほぼ等しい長さ）の範囲内に設けられている。
【００４０】
そして、すべて平面視で重ならない状態とされた各一時貯留部３５ａ〜３５ｆの下方に、一時貯留部３５ａ〜３５ｆに一時貯留された紙幣を入金確定操作後に金種別に収納する収納部４５ａ〜４５ｆが、一対一で配置可能に設けられている。ここで、収納部４５ａ〜４５ｆは、一時貯留部３５ａ〜３５ｆと同様に右側面１２Ｒ側と左側面１２Ｌ側の二列に配置されており、右側面１２Ｒ側一列の収納部４５ｂ，４５ｄ，４５ｆは、右側面１２Ｒ側の一時貯留部３５ｂ，３５ｄ，３５ｆと機体左右方向の位置が合い、左側面１２Ｌ側一列の収納部４５ａ，４５ｃ，４５ｅも、左側面１２Ｌ側の一時貯留部３５ａ，３５ｃ，３５ｅと機体左右方向の位置が合っている。
【００４１】
右側面１２Ｒ側一列の収納部４５ｂ，４５ｄ，４５ｆは、図示略のガイドレールによって一体的に機体前後方向つまり一時貯留部３５ｂ，３５ｄ，３５ｆと同方向に水平移動可能に設けられており、このガイドレールを含む図３に示すスライド機構部（収納部水平移動手段）４７で駆動されて水平移動することになり、左側面１２Ｌ側一列の収納部４５ａ，４５ｃ，４５ｅも、図示略のガイドレールによって一体的に機体前後方向つまり一時貯留部３５ａ，３５ｃ，３５ｅと同方向に水平移動可能に設けられており、このガイドレールを含む図３に示すスライド機構部（収納部水平移動手段）４８で駆動されて水平移動することになる。
【００４２】
ここで、収納部４５ａ〜４５ｆの全体が機体前後方向の略中央位置である基本位置に位置するとき、図４に示すように、位置固定の最下段の機体右側面１２Ｒ側の一時貯留部３５ｆの鉛直下方に収納部４５ｆが、最下段の機体左側面１２Ｌ側の一時貯留部３５ｅの鉛直下方に収納部４５ｅが、後端位置にある機体右側面１２Ｒ側の一時貯留部３５ｄの鉛直下方に収納部４５ｄが、後端位置にある機体左側面１２Ｌ側の一時貯留部３５ｃの鉛直下方に収納部４５ｃが、前端位置にある機体右側面１２Ｒ側の一時貯留部３５ｂの鉛直下方に収納部４５ｂが、前端位置にある機体左側面１２Ｌ側の一時貯留部３５ａの鉛直下方に収納部４５ａが、それぞれ設けられている。つまり、収納部４５ａ〜４５ｆが、機体前後方向に３列、機体左右方向に２列に配列されて設けられている。
【００４３】
すべての収納部４５ａ〜４５ｆは、機体１２内に収納された状態で、下端部の高さ位置が同じとされており、上端部の高さ位置も同じとされている。つまり、高さが同じとされている。
【００４４】
ここで、右側面１２Ｒ側一列の収納部４５ｂ，４５ｄ，４５ｆおよび左側面１２Ｌ側一列の収納部４５ａ，４５ｃ，４５ｅは、いずれも、図６に示すように、全体として機体前面１２Ｆ側にあって機体後面１２Ｂ側の収納部４５ｃ，４５ｄを機体前後方向の略中央位置である出金位置に位置させる前端位置から、図２に示すように、機体前後方向中央の収納部４５ｅ，４５ｆを機体前後方向の略中央位置である出金位置に位置させる基本位置を経て、図７に示すように、全体として機体後面１２Ｂ側にあって機体前面１２Ｆ側の収納部４５ａ，４５ｂを機体前後方向の略中央位置である出金位置に位置させる後端位置までの間で、往復移動する。収納部４５ａ〜４５ｆは出金位置にあるとき機体前後方向の同じ位置に配置される。
【００４５】
なお、各収納部４５ａ〜４５ｆは、一時貯留部３５ａ〜３５ｆのうち真上にあるものから紙幣を受け入れて上下方向に集積させた状態で収納することになり、すべての収納部４５ａ〜４５ｆの下部それぞれには、このように収納した紙幣を一枚ずつ繰出可能な出金部５１が設けられている。
【００４６】
そして、収納部４５ａ〜４５ｆの下側には、機体前後方向の略中央位置に位置して出金搬送部５２が設けられている。この出金搬送部５２は、収納部４５ａ〜４５ｆのうち、機体前後方向の略中央位置である出金位置に位置するもの、つまり最下段の一時貯留部３５ｅ，３５ｆの鉛直下方に位置するものの出金部５１に対し位置があって紙幣を受け渡し可能に接続される。
【００４７】
出金搬送部５２は、図１に示すように、左側面１２Ｌ側の収納部４５ａ，４５ｃ，４５ｅのうち、出金位置に位置するものから出金された紙幣を搬送する搬送路５３を有しており、この搬送路５３は、機体右側面１２Ｒ側に向けて水平に延出する右方延出部５４とこの右方延出部５４の末端から上方に延出して出金口１５に接続される上方延出部５５とを有している。出金搬送部５２は、右側面１２Ｒ側の収納部４５ｂ，４５ｄ，４５ｆのうち、出金位置に位置するものから出金された紙幣を搬送する合流搬送路５６を有しており、この合流搬送路５６は搬送路５３の右方延出部５４に合流している。搬送路５３の上方延出部５５には、出金紙幣の判別を行う出金判別部５７が設けられている。
【００４８】
また、出金搬送部５２は、搬送路５３の上方延出部５５における出金判別部５７よりも上方（下流）側から分岐し機体右側面１２Ｒ側に延出してリジェクトボックス６０に接続されるリジェクト搬送路６１を有しており、このリジェクト搬送路６１は、出金判別部５７で二重送り等の出金不可と判別された出金不可紙幣をリジェクトボックス６０に搬送する。
【００４９】
なお、出金搬送部５２は全体にわたって、ユニット３７，４１が基本位置にあるときの入金搬送部１８、一時貯留部３５ａ，３５ｂおよび一時貯留部３５ｃ，３５ｄと、位置固定の一時貯留部３５ｅ，３５ｆと、収納部４５ａ〜４５ｆのうちの出金位置にあるものとに、機体前後方向における位置を合わせており、機体前後方向の所定幅（最も長手方向長さが長い紙幣の長さにほぼ等しい長さ）の範囲内に設けられている。
【００５０】
最上段の一時貯留部３５ａ，３５ｂを含むユニット３７を水平移動させるスライド機構部３８と、このユニット３７の前端位置および基本位置をそれぞれ検出するセンサ６４と、このユニット３７を昇降させるエレベータ機構部３９と、このユニット３７の上限位置および下限位置をそれぞれ検出するセンサ６５と、中段の一時貯留部３５ｃ，３５ｄを含むユニット４１を水平移動させるスライド機構部４２と、このユニット４１の基本位置および後端位置をそれぞれ検出するセンサ６６と、このユニット４１を昇降させるエレベータ機構部４３と、このユニット４１の上限位置および下限位置をそれぞれ検出するセンサ６７と、収納部４５ａ，４５ｃ，４５ｅの全体を水平移動させるスライド機構部４８と、これら収納部４５ａ，４５ｃ，４５ｅの前端位置、基本位置および後端位置をそれぞれ検出するセンサ６８と、収納部４５ｂ，４５ｄ，４５ｆの全体を水平移動させるスライド機構部４７と、これら収納部４５ｂ，４５ｄ，４５ｆの前端位置、基本位置および後端位置をそれぞれ検出するセンサ６９とが、図３に示すように、制御部７０に接続されている。この制御部７０には、各処理の操作がオペレータにより入力される操作部７１、処理のガイドメニュー、処理状態および処理結果等を表示する表示部７２、上記した紙幣繰出部１７、入金搬送部１８、識別部２４、一時貯留部３５ａ〜３５ｆ、収納部４５ａ〜４５ｆ、出金搬送部５２および出金判別部５７が接続されている。
【００５１】
以上に述べた第１実施形態の紙幣処理機１１は、処理を行わない待機状態においては、図２に示すように、最上段の一時貯留部３５ａ，３５ｂを含むユニット３７および中段の一時貯留部３５ｃ，３５ｄを含むユニット４１が基本位置にあって、収納部４５ａ〜４５ｆが収納部４５ｅ，４５ｆを出金位置に位置させる基本位置にあり、この待機状態から、入金口１３にバラ紙幣が積層状態で投入され、操作部７１に入金開始の操作入力がなされると、制御部７０は、紙幣繰出部１７で紙幣を一枚ずつに分離させて入金搬送部１８に繰り出させ、入金搬送部１８で搬送させる。その途中、識別部２４で紙幣を識別させ、入金可能紙幣以外のリジェクト紙幣をリジェクト搬送路２６を介してリジェクト口１４に排出させる一方、入金可能紙幣を識別部２４の識別結果に基づいて一時貯留部３５ａ〜３５ｆのうちの対応する金種のものに一時貯留させる。このようにして、紙幣が金種別に分類された状態で一時貯留部３５ａ〜３５ｆに一時貯留される。そして、入金口１３の紙幣がすべてリジェクト口１４あるいは一時貯留部３５ａ〜３５ｆに至ると、制御部７０は、入金された紙幣の金種別の計数結果等を識別部２４の識別結果に基づいて表示部７２に表示させる。
【００５２】
この表示を見てオペレータが操作部７１に入金承認の操作を入力すると、制御部７０は、図４に示すように、最上段の一時貯留部３５ａ，３５ｂを含むユニット３７をスライド機構部３８によって前端位置に水平移動させた後、図５に示すように、エレベータ機構部３９によって下端位置に下降させる。これと並行して、中段の一時貯留部３５ｃ，３５ｄを含むユニット４１をスライド機構部４２によって後端位置に水平移動させた後、エレベータ機構部４３によって下端位置に下降させる。
【００５３】
そして、すべての一時貯留部３５ａ〜３５ｆから金種別に分類したまま、基本位置にある収納部４５ａ〜４５ｆに紙幣を収納させる。つまり、一時貯留部３５ａの紙幣を収納部４５ａに、一時貯留部３５ｂの紙幣を収納部４５ｂに、一時貯留部３５ｃの紙幣を収納部４５ｃに、一時貯留部３５ｄの紙幣を収納部４５ｄに、一時貯留部３５ｅの紙幣を収納部４５ｅに、一時貯留部３５ｆの紙幣を収納部４５ｆに、それぞれ収納させる。この収納が完了すると、最上段の一時貯留部３５ａ，３５ｂを含むユニット３７および中段の一時貯留部３５ｃ，３５ｄを含むユニット４１を、それぞれ、上限位置まで上昇させた後に、基本位置まで水平移動させて、待機状態に戻し、入金処理を終了する。
【００５４】
なお、一時貯留部３５ａ，３５ｂを含むユニット３７および一時貯留部３５ｃ，３５ｄを含むユニット４１は、機体前方または側方に引き出し可能に設けられており、また、位置固定の一時貯留部３５ｅ，３５ｆも引出ユニット７４に組み込まれて一体に機体前方または側方に引き出し可能に設けられている。そして、オペレータが操作部７１に上記入金承認の操作ではなく入金キャンセルの操作を入力すると、ユニット３７，４１および引出ユニット７４のうち紙幣を一時貯留させたものが機体１２に対するロックが解除されることで機体１２から引き出し可能となり、その結果、一時貯留部３５ａ〜３５ｆの紙幣が取り出し可能となる。
【００５５】
他方、待機状態から、操作部７１に出金操作入力がなされると、制御部７０は、対応する金種の紙幣を収納部４５ａ〜４５ｆの対応するものから繰り出させる。このとき、図２に示すように、左側面１２Ｌ側一列の収納部４５ａ，４５ｃ，４５ｅおよび右側面１２Ｒ側一列の収納部４５ｂ，４５ｄ，４５ｆがいずれも基本位置にあることから、この状態で出金位置にある出金搬送部５２に接続される機体前後方向中央の収納部４５ｅ，４５ｆからそれぞれの出金部５１によって、必要枚数の紙幣を出金搬送部５２に繰り出させ、出金搬送部５２で搬送させる。その途中、出金判別部５７で紙幣を判別し、二重送り等の出金不可紙幣をリジェクト搬送路６１を介してリジェクトボックス６０に収納させる一方、出金可能紙幣を出金口１５に繰り出させる。
【００５６】
そして、機体前後方向中央の収納部４５ｅから繰り出された必要枚数の紙幣が出金判別部５７で確認されると、制御部７０は、図６（ａ）に示すように、左側面１２Ｌ側一列の収納部４５ａ，４５ｃ，４５ｅをスライド機構部４８によって例えば前端位置に水平移動させることになり、この状態で出金位置にあって出金搬送部５２に接続される機体前後方向後側の収納部４５ｃから、上記と同様に、必要枚数の紙幣を出金搬送部５２で出金口１５に繰り出させる。
【００５７】
続いて、機体前後方向後側の収納部４５ｃから繰り出された必要枚数の紙幣が出金判別部５７で確認されると、制御部７０は、図７（ａ）に示すように、左側面１２Ｌ側一列の収納部４５ａ，４５ｃ，４５ｅをスライド機構部４８によって後端位置に水平移動させることになり、この状態で出金位置にあって出金搬送部５２に接続される機体前後方向前側の収納部４５ａから、上記と同様に、必要枚数の紙幣を出金搬送部５２で出金口１５に繰り出させる。
【００５８】
そして、機体前後方向前側の収納部４５ａから繰り出された必要枚数の紙幣が出金判別部５７で確認されると、制御部７０は、出金処理が完了したと判定して、図２（ａ）に示すように、収納部４５ａ，４５ｃ，４５ｅを基本位置に戻す。
【００５９】
他方、機体前後方向中央の収納部４５ｆから繰り出された必要枚数の紙幣が出金判別部５７で確認されると、制御部７０は、図６（ｂ）に示すように、右側面１２Ｒ側一列の収納部４５ｂ，４５ｄ，４５ｆをスライド機構部４７によって例えば前端位置に水平移動させることになり、この状態で出金位置にあって出金搬送部５２に接続される機体前後方向後側の収納部４５ｄから、上記と同様に、必要枚数の紙幣を出金搬送部５２で出金口１５に繰り出させる。
【００６０】
続いて、機体前後方向後側の収納部４５ｄから繰り出された必要枚数の紙幣が出金判別部５７で確認されると、制御部７０は、図７（ｂ）に示すように、右側面１２Ｒ側一列の収納部４５ｂ，４５ｄ，４５ｆをスライド機構部４７によって後端位置に水平移動させ、この状態で出金位置にあって出金搬送部５２に接続される機体前後方向前側の収納部４５ｂから、上記と同様に、必要枚数の紙幣を出金搬送部５２で出金口１５に繰り出させる。
【００６１】
そして、機体前後方向前側の収納部４５ｂから繰り出された必要枚数の紙幣が出金判別部５７で確認されると、制御部７０は、出金処理が完了したと判定して、図２（ｂ）に示すように、収納部４５ｂ，４５ｄ，４５ｆを基本位置に戻す。
【００６２】
ここで、上記のように、左側面１２Ｌ側一列の収納部４５ａ，４５ｃ，４５ｅおよび右側面１２Ｒ側一列の収納部４５ｂ，４５ｄ，４５ｆは、それぞれ単独で水平移動可能となっており、収納部４５ａ，４５ｃ，４５ｅについては、収納部４５ｅ、収納部４５ｃ、収納部４５ａの順に、収納部４５ｂ，４５ｄ，４５ｆについては、収納部４５ｆ、収納部４５ｄ、収納部４５ｂの順に、出金させることになるが、これら収納部のうち出金させる紙幣がないものについては出金位置に移動させずに次の収納部を出金位置に位置させることになる。
【００６３】
ここで、上記した収納部４５ａ，４５ｃ，４５ｅはスライド機構部４８に、収納部４５ｂ，４５ｄ，４５ｆはスライド機構部４７に、それぞれ着脱不可となるように固定されている。
【００６４】
なお、収納部４５ａ〜４５ｆを各々が機体１２から着脱可能なカセット式のものとしても良く、その場合、左右の列毎に機体前後方向に水平移動可能なベース部を設け、これらベース部に収納部４５ａ〜４５ｆをそれぞれ振り分けて着脱可能に設けることになる。
【００６５】
また、すべての収納部４５ａ〜４５ｆを一体的に水平移動させるようにしても良い。この場合、二つあったスライド機構部４７，４８が一つで済むことになり、コストを低減できる。この場合も、収納部４５ａ〜４５ｆを各々が機体１２から着脱可能なカセット式のものにできる。つまり、機体前後方向に水平移動可能な一つのベース部を設け、このベース部にすべての収納部４５ａ〜４５ｆを着脱可能に設けるのである。
【００６６】
ここで、収納部４５ａ〜４５ｆが機体１２に対し固定および着脱可能のいずれであっても、収納部４５ａ〜４５ｆおよび一時貯留部３５ａ〜３５ｆは上記と同様のベース部によって機体１２から機体前方または側方に引き出し可能とされることになり、ジャム処理が行えるようになっている。この場合、図示略の操作キーの操作等によって機体１２に対するベース部のロックを解除することでベース部の引き出しが可能となる。
【００６７】
上記した一時貯留部３５ａ〜３５ｆおよび収納部４５ａ〜４５ｆは、金種毎の収納量によって任意に金種を設定することが可能となっている。例えば、収納部４５ｅを千円券用、収納部４５ｆを万円券用、収納部４５ｃを千円券用、収納部４５ｄを万円券用、収納部４５ａを二千円券用、収納部４５ｂを五千円券用とする。これに対応して、一時貯留部３５ｅを千円券用、一時貯留部３５ｆを万円券用、一時貯留部３５ｃを千円券用、一時貯留部３５ｄを万円券用、一時貯留部３５ａを二千円券用、一時貯留部３５ｂを五千円券用とする。このように、流通量の多い千円券用に二つの収納部４５ｅ，４５ｃを割り当て、同じく流通量の多い万円券用に二つの収納部４５ｆ，４５ｄを割り当て、流通量の少ない二千円券用に一つの収納部４５ａを割り当て、同じく流通量の少ない五千円券用に一つの収納部４５ｂを割り当てることで、収納効率を向上させることができる。
【００６８】
しかも、いずれも基本位置において出金搬送部５２に接続されていて即座に出金が可能な収納部４５ｅおよび収納部４５ｆに、流通量の多い千円券および万円券を収納させることで、出金に要する時間を短縮できるようになっている。
【００６９】
加えて、いずれも基本位置において位置固定の一時貯留部３５ｅおよび一時貯留部３５ｆの下方にあって即座に一時貯留紙幣の受け取りが可能な収納部４５ｅおよび収納部４５ｆに、流通量の多い千円券および万円券を収納させ、これに対応して千円券および万円券を最下段の位置固定の一時貯留部３５ｅおよび一時貯留部３５ｆに一時貯留させることで、一時貯留部３５ｅおよび一時貯留部３５ｆを移動させることなく紙幣が収納可能となり、収納に要する時間を短縮できるようになっている。
【００７０】
さらに、残りの収納部４５ａ〜４５ｄについては、出金に要する時間は同じであるものの、収納時の下降距離が短く移動時間が短い一時貯留部３５ｃおよび一時貯留部３５ｄからの紙幣を収納する収納部４５ｃおよび収納部４５ｄに、流通量の多い千円券および万円券を収納させることになるため、収納時の移動に要する時間を極力短縮し、収納に要する時間を短縮するようになっている。そして、収納に要する時間が最も長い一時貯留部３５ａおよび一時貯留部３５ｂからの紙幣を収納する収納部４５ａおよび収納部４５ｂに、流通量の少ない二千円券および五千円券を収納させることになる。
【００７１】
ここで、収納部４５ａ〜４５ｆのうち機体前後方向の位置が合うもの同士で金種を入れ替えても同様である。つまり、収納部４５ｅを万円券用、収納部４５ｆを千円券用としても良く、収納部４５ｃを万円券用、収納部４５ｄを千円券用としても良く、収納部４５ａを五千円券用、収納部４５ｂを二千円券用としても良い。
【００７２】
また、例えば、上記において最も流通量の少ない二千円券用とした収納部４５ａ（または収納部４５ｂ）からの出金を禁止しこれを収納専用として、入金口１３に投入され識別部２４で真券かつ損券と判定された紙幣をこの収納部４５ａ（または収納部４５ｂ）に収納させることも可能である。
【００７３】
さらに、万円券が特に多い場合、上記では千円券用とした例えば収納部４５ｃ（または収納部４５ｄ）に千円券と万円券を混合で収納させることも可能であり、この場合、この収納部４５ｃ（または収納部４５ｄ）からの出金は禁止する。この場合も、二千円券用とした収納部４５ａ（または収納部４５ｂ）から出金を禁止しこれを収納専用として、損券をこの収納部４５ａ（または収納部４５ｂ）に収納させることも可能である。
【００７４】
以上に述べた第１実施形態の紙幣処理機１１によれば、一時貯留部３５ａ，３５ｃ，３５ｅが上下に複数段設けられており、スライド機構部３８，４２が、これら複数段の一時貯留部３５ａ，３５ｃ，３５ｅが平面視で重なる状態から平面視で重ならない状態まで、最下段の一時貯留部３５ｅを除くその他の段の一時貯留部３５ａ，３５ｃを水平移動させることになり、同様に一時貯留部３５ｂ，３５ｄ，３５ｆが上下に複数段設けられており、スライド機構部３８，４２が、これら複数段の一時貯留部３５ｂ，３５ｄ，３５ｆが平面視で重なる状態から平面視で重ならない状態まで、最下段の一時貯留部３５ｆを除くその他の段の一時貯留部３５ｂ，３５ｄを水平移動させることになり、複数段の一時貯留部３５ａ，３５ｃ，３５ｅが平面視で重なる状態かつ複数段の一時貯留部３５ｂ，３５ｄ，３５ｆが平面視で重なる状態で紙幣を受け入れるため、入金搬送部１８を複雑にすることなく紙幣を複数の一時貯留部３５ａ〜３５ｆに受け入れることができる。そして、このようにして紙幣を受け入れた一時貯留部３５ａ〜３５ｆの所定のものを水平移動させて平面視で重ならない状態として、各一時貯留部３５ａ〜３５ｆの下方に一対一で設けられた収納部４５ａ〜４５ｆに紙幣を収納させるため、収納部４５ａ〜４５ｆの水平方向における配置の自由度が高くなる。よって、上記したように、入金搬送部１８の紙幣搬送方向に沿う水平方向に対し直交する水平方向に収納部４５ａ，４５ｃ，４５ｅを分けて配置することができ、同方向に収納部４５ｂ，４５ｄ，４５ｆを分けて配置することができるため、全体としてコンパクトになるように収納部４５ａ〜４５ｆを配置できる。したがって、入金搬送部１８を複雑にすることなく全体をコンパクトに構成することができる。
【００７５】
また、水平移動する一時貯留部３５ａ〜３５ｄをエレベータ機構部３９，４３で鉛直方向に移動させるため、すべての収納部４５ａ〜４５ｆの高さを同じとしても、すべての一時貯留部３５ａ〜３５ｆから対応する収納部４５ａ〜４５ｆへの紙幣の円滑な受け渡しが可能となる。
【００７６】
加えて、すべての収納部４５ａ〜４５ｆの下部それぞれに内部の紙幣を一枚ずつ繰出可能な出金部５１が設けられており、すべての収納部４５ａ〜４５ｆがスライド機構部４７，４８によって水平移動可能に設けられているため、収納部４５ａ〜４５ｆのうち、最下段の一時貯留部３５ｅ，３５ｆの下方に位置するものの出金部５１に対し位置があって接続される出金搬送部５２に対して、収納部４５ａ〜４５ｆを水平移動させれば、すべての収納部４５ａ〜４５ｆを接続可能となる。したがって、出金搬送路５２を複雑にすることなく、すべての収納部４５ａ〜４５ｆからの出金が可能となる。
【００７７】
さらに、スライド機構部４７，４８が収納部４５ａ〜４５ｆを一時貯留部３５ａ〜３５ｄと同方向に水平移動させるため、一時貯留部３５ａ〜３５ｄの移動範囲と収納部４５ａ〜４５ｆの移動範囲とを重ねることができ、さらなるコンパクト化が図れる。
【００７８】
加えて、上下に複数段状に配置されるすべての一時貯留部３５ａ，３５ｃ，３５ｅが平面視で重なるように上下に一列状に配置可能であり、上下に複数段状に配置されるすべての一時貯留部３５ｂ，３５ｄ，３５ｆが平面視で重なるように上下に一列状に配置可能であるため、一時貯留部３５ａ〜３５ｆは平面視で重なる状態で紙幣を受け入れることができ、入金搬送部１８を複雑にすることなく紙幣を複数の一時貯留部３５ａ〜３５ｆに受け入れることができる。したがって、確実に入金搬送部１８を簡素化することができる。
【００７９】
さらに、流通量の多い金種の万円券および千円券を、水平移動しない最下段の一時貯留部３５ｅ，３５ｆに一時貯留させることで、処理全体における一時貯留部３５ａ〜３５ｄの水平移動のための時間を短くでき、処理効率を向上させることができる。
【００８０】
次に、本発明の第２実施形態の紙幣処理機を図８〜図１２を参照して、第１実施形態との相違部分を中心に以下に説明する。なお、第１実施形態と同様の部分には同一の符号を付しその説明は略す。
【００８１】
第２実施形態においては、一時貯留部３５ａ〜３５ｄが水平移動のみ可能となっており、昇降移動しない点が第１実施形態と主に相違している。
【００８２】
つまり、最上段の両一時貯留部３５ａ，３５ｂを含むユニット３７は、具体的に、図８に示すように、一時貯留部３５ａを最下段の一時貯留部３５ｅに平面視において重ね合わせ、かつ一時貯留部３５ｂを最下段の一時貯留部３５ｆに平面視において重ね合わせる状態となる基本位置と、図９に示すように、一時貯留部３５ａ，３５ｂを最下段の一時貯留部３５ｅ，３５ｆに平面視で重ね合わせない状態となる前端位置との間で、図１０に示すスライド機構部（一時貯留部水平移動手段）３８で駆動されて水平に往復移動する。他方、ユニット３７を昇降させるエレベータ機構部および昇降位置を検出するセンサは設けられていない。
【００８３】
中段の両一時貯留部３５ｃ，３５ｄを含むユニット４１も、図８に示すように、一時貯留部３５ｃを最下段の一時貯留部３５ｅに平面視において重ね合わせ、かつ一時貯留部３５ｄを最下段の一時貯留部３５ｆに平面視において重ね合わせる状態となる基本位置と、図９に示すように、一時貯留部３５ｃ，３５ｄを最下段の一時貯留部３５ｅ，３５ｆに平面視で重ね合わせない状態となる後端位置との間で、図１０に示すスライド機構部（一時貯留部水平移動手段）４２で駆動されて水平に往復移動する。他方、ユニット４１を昇降させるエレベータ機構部および昇降位置を検出するセンサも設けられていない。
【００８４】
そして、図９に示すように、収納部４５ａ〜４５ｆが、収納部４５ｅ，４５ｆを出金位置に位置させる基本位置にあり、複数段の一時貯留部３５ａ〜３５ｆが平面視で重ならない状態とされたときに、最下段の一時貯留部３５ｅ，３５ｆの鉛直下方にある収納部４５ｅ，４５ｆ、前端位置にある最上段のユニット３７の一時貯留部３５ａ，３５ｂの鉛直下方にある収納部４５ａ，４５ｂ、後端位置にある中段のユニット４１の一時貯留部３５ｃ，３５ｄの鉛直下方にある収納部４５ｃ，４５ｄのそれぞれが、紙幣の受け渡しを良好にするべく各一時貯留部３５ａ〜３５ｆの直下に上端部が配置されるように、つまり各一時貯留部３５ａ〜３５ｆの下端部にそれぞれの上端部が近接配置されるように、それぞれの高さ、つまり上端部の高さ位置が異なっている。
【００８５】
具体的に、最下段の一時貯留部３５ｅ，３５ｆの鉛直下方に配置される収納部４５ｅ，４５ｆの上端部の高さ位置に対し、中段の一時貯留部３５ｃ，３５ｄの鉛直下方に配置される収納部４５ｃ，４５ｄの上端部の高さ位置が、一時貯留部３５ｅ，３５ｆと一時貯留部３５ｃ，３５ｄとの高さの差分高くなっており、収納部４５ｃ，４５ｄの上端部の高さ位置に対し、最上段の一時貯留部３５ａ，３５ｂの鉛直下方に配置される収納部４５ａ，４５ｂの上端部の高さ位置が、一時貯留部３５ｃ，３５ｄと一時貯留部３５ａ，３５ｂとの高さ位置の差分高くされている。言い換えれば、最下段の一時貯留部３５ｅ，３５ｆの直下の収納部４５ｅ，４５ｆの上端部の高さ位置を基準とし、この収納部４５ｅ，４５ｆから水平方向に離間する収納部４５ａ〜４５ｄの上端部の高さ位置が高く設定されている。
【００８６】
また、収納部４５ａ〜４５ｆが、一体的に、図１０に示す一つのスライド機構部８０で水平移動させられることになり、センサ８１の検出で前端位置、基本位置および後端位置に位置させられる。そして、このスライド機構部８０が、一時貯留部３５ａ〜３５ｆをも一体に水平移動させるようになっている。つまり、収納部４５ａ〜４５ｆを前端位置に位置させて機体後面１２Ｂ側の収納部４５ｃ，４５ｄを出金搬送部５２に接続させる場合、これら収納部４５ａ〜４５ｆを水平移動させるスライド機構部８０で、これら収納部４５ａ〜４５ｆとともに、図１１に示すように、一時貯留部３５ａ，３５ｃ，３５ｅを平面視で重なるように上下に一列状に配置した状態とし一時貯留部３５ｂ，３５ｄ，３５ｆを平面視で重なるように上下に一列状に配置した状態としたまま、一時貯留部３５ａ〜３５ｆを一体に機体前面１２Ｆ側に水平移動させることになる。また、収納部４５ａ〜４５ｆを後端位置に位置させて機体前面１２Ｆ側の収納部４５ａ，４５ｂを出金搬送部５２に接続させる場合、これら収納部４５ａ〜４５ｆを水平移動させるスライド機構部８０で、これら収納部４５ａ〜４５ｆとともに、図１２に示すように、一時貯留部３５ａ，３５ｃ，３５ｅを平面視で重なるように上下に一列状に配置した状態とし一時貯留部３５ｂ，３５ｄ，３５ｆを平面視で重なるように上下に一列状に配置した状態としたまま、一時貯留部３５ａ〜３５ｆを、一体に機体後面１２Ｂ側に水平移動させる。
【００８７】
なお、第１実施形態と同様に収納部４５ａ，４５ｃ，４５ｅと収納部４５ｂ，４５ｄ，４５ｆとを別々に水平移動させることも可能であるが、その場合も、収納部４５ａ，４５ｃ，４５ｅに接続される一時貯留部３５ａ，３５ｃ，３５ｅを収納部４５ａ，４５ｃ，４５ｅと一体的に水平移動させる必要があり、収納部４５ｂ，４５ｄ，４５ｆに接続される一時貯留部３５ｂ，３５ｄ，３５ｆを収納部４５ｂ，４５ｄ，４５ｆと一体的に水平移動させる必要があるため、一時貯留部３５ａ，３５ｃ，３５ｅと一時貯留部３５ｂ，３５ｄ，３５ｆとを別々に水平移動可能に構成することになる。
【００８８】
ここで、一時貯留部３５ａ〜３５ｄの水平移動を考慮して各収納部４５ａ〜４５ｆへの収納紙幣の金種を第１実施形態と同様に設定しても良いが、第２実施形態では、収納部４５ａ〜４５ｆの高さが異なり収納量が異なることから、収納部４５ａ〜４５ｆの金種を変更することになる。例えば、収納時に水平移動が不要な一時貯留部３５ｅ，３５ｆの鉛直下方の収納部４５ｅ，４５ｆには、第１実施形態と同様に、流通量の多い千円券と万円券とを金種別に振り分けて収納させるものの、最も高さが高く収納量が多い収納部４５ａ，４５ｂにも流通量の多い千円券と万円券とを金種別に振り分けて収納させる（つまり、流通量の多い万円券および千円券を最上段の一時貯留部３５ａ，３５ｂに一時貯留させる）。そして、中間の高さの収納部４５ｃ，４５ｄに二千円券と五千円券とを金種別に振り分けて収納させる。この場合も、第１実施形態と同様に、収納部４５ｃ，４５ｄのうち二千円券のものを出金禁止としてこれに損券を収納させたり、万円券が特に多い場合に最も高さが高く収納量が多い収納部４５ａ，４５ｂのうちの千円券用のものを出金禁止として千円券と万円券とを混合させて収納させるようにすることが可能である。
【００８９】
以上に述べた第２実施形態の紙幣処理機によれば、複数段の一時貯留部３５ａ〜３５ｆが平面視で重ならない状態とされたとき、各一時貯留部３５ａ〜３５ｆの直下に各収納部４５ａ〜４５ｆの上端部が配置されるように収納部４５ａ〜４５ｆの高さが異なっているため、一時貯留部３５ａ〜３５ｄを水平移動させるだけで、一時貯留部３５ａ〜３５ｆから収納部４５ａ〜４５ｆへの紙幣の受け渡しが可能になり、エレベータ機構部が不要になるため、簡素化、小型化および低コスト化が図れる。
【００９０】
また、最下段の一時貯留部３５ｅ，３５ｆの直下の収納部４５ｅ，４５ｆの高さを基準とし、この収納部４５ｅ，４５ｆから水平方向に離間する収納部４５ａ〜４５ｄの高さが高く設定されているため、最下段の一時貯留部３５ｅ，３５ｆの直下の収納部４５ｅ，４５ｆに対し水平方向に離間した収納部４５ａ〜４５ｄの収納量を大きくすることが可能になる。
【００９１】
さらに、流通量の多い金種の紙幣（万円券および千円券）を最上段の一時貯留部３５ａ，３５ｂに一時貯留させるため、これら一時貯留部３５ａ，３５ｂに対応する、高さを高くでき収納量を多くできる収納部４５ａ，４５ｂに流通量の多い金種の紙幣が収納されることになり、収納部の満杯による停止等の処理効率低下を防止できる。
【００９２】
なお、以上に述べた第１実施形態および第２実施形態においては、紙幣処理機１１として、紙幣の入金および出金を行う紙幣入出金機を例にとり説明したが、紙幣を入金させるのみで出金させない紙幣入金機にも適用可能であり、その場合は、出金搬送部５２が不要となるため、収納部４５ａ〜４５ｆ用のスライド機構部４７，４８，８０が不要となる。
【００９３】
また、以上に述べた第１実施形態および第２実施形態を紙幣結束機構を備えた出納機のバラ紙幣入出金部に適用することも可能であり、その場合、出金搬送部５２から、バラ紙幣を結束する結束部への分岐搬送路が設けられることになる。
【図面の簡単な説明】
【００９４】
【図１】本発明の第１実施形態の紙幣処理機を概略的に示す正断面図である。
【図２】本発明の第１実施形態の紙幣処理機における各部が基本位置にある待機状態を概略的に示すもので、（ａ）は左側面側の側断面図、（ｂ）は中央側の側断面図である。
【図３】本発明の第１実施形態の紙幣処理機の制御系を概略的に示すブロック図である。
【図４】本発明の第１実施形態の紙幣処理機における最上段および中段の一時貯留部が水平移動した状態を概略的に示すもので、（ａ）は左側面側の側断面図、（ｂ）は中央側の側断面図である。
【図５】本発明の第１実施形態の紙幣処理機における最上段および中段にあった一時貯留部が下降した状態を概略的に示すもので、（ａ）は左側面側の側断面図、（ｂ）は中央側の側断面図である。
【図６】本発明の第１実施形態の紙幣処理機における収納部が一方向に水平移動した状態を概略的に示すもので、（ａ）は左側面側の側断面図、（ｂ）は中央側の側断面図である。
【図７】本発明の第１実施形態の紙幣処理機における収納部が逆方向に水平移動した状態を概略的に示すもので、（ａ）は左側面側の側断面図、（ｂ）は中央側の側断面図である。
【図８】本発明の第２実施形態の紙幣処理機における各部が基本位置にある待機状態を概略的に示すもので、（ａ）は左側面側の側断面図、（ｂ）は中央側の側断面図である。
【図９】本発明の第２実施形態の紙幣処理機における最上段および中段の一時貯留部が水平移動した状態を概略的に示すもので、（ａ）は左側面側の側断面図、（ｂ）は中央側の側断面図である。
【図１０】本発明の第２実施形態の紙幣処理機の制御系を概略的に示すブロック図である。
【図１１】本発明の第２実施形態の紙幣処理機における収納部が一方向に水平移動した状態を概略的に示すもので、（ａ）は左側面側の側断面図、（ｂ）は中央側の側断面図である。
【図１２】本発明の第２実施形態の紙幣処理機における収納部が逆方向に水平移動した状態を概略的に示すもので、（ａ）は左側面側の側断面図、（ｂ）は中央側の側断面図である。
【符号の説明】
【００９５】
１１  紙幣処理機
１３  入金口
２４  識別部
３５ｅ，３５ｆ  一時貯留部（最下段の一時貯留部）
３５ａ〜３５ｄ  一時貯留部（その他の段の一時貯留部）
３８，４２  スライド機構部（一時貯留部水平移動手段）
３９，４３  エレベータ機構部（鉛直移動手段）
４５ａ〜４５ｆ  収納部
４７，４８  スライド機構部（収納部水平移動手段）
５１  出金部
５２  出金搬送部
【図１】
2006195539.tif 000003
【図２】
2006195539.tif 000004
【図３】
2006195539.tif 000005
【図４】
2006195539.tif 000006
【図５】
2006195539.tif 000007
【図６】
2006195539.tif 000008
【図７】
2006195539.tif 000009
【図８】
2006195539.tif 000010
【図９】
2006195539.tif 000011
【図１０】
2006195539.tif 000012
【図１１】
2006195539.tif 000013
【図１２】
2006195539.tif 000014